(57)【要約】【課題】建物の窓等の開口部の開放に要する力を分散できる上に、開口部を迅速に開放することができ、しかも、十分な開口部の開放感を得ることができるブラインド装置を提供すること。【解決手段】ブラインド装置１は、開口部６に上下方向Ｖに並置された複数の羽根部材７と、羽根部材７を互いに連結すると共に最上位の羽根部材７ａを吊り下げ支持する一方、羽根部材７の夫々を同期して傾動させる傾動機構８と、最下位の羽根部材７ｂを昇降させて残余の羽根部材７ｃを昇降させる昇降手段９と、開口部６に上下方向Ｖに並置された複数の羽根部材１０と、羽根部材１０を互いに連結すると共に最下位の羽根部材１０ｂを下方に引っ張る一方、羽根部材１０の夫々を同期して傾動させる傾動機構１１と、最上位の羽根部材１０ａを昇降させて残余の羽根部材１０ｃを昇降させる昇降手段１２とを具備している。【選択図】図１
2008202299.tif 000002
【特許請求の範囲】
【請求項１】
開口部に上下方向に並置された一方の複数の羽根部材と、この一方の複数の羽根部材を互いに連結すると共に一方の複数の羽根部材のうちの最上位の羽根部材を吊り下げ支持する一方、一方の複数の羽根部材の夫々を同期して傾動させる一方の傾動機構と、一方の複数の羽根部材のうちの最下位の羽根部材を昇降させて一方の複数の羽根部材のうち残余の羽根部材を昇降させる一方の昇降手段と、開口部に一方の複数の羽根部材よりも下方であって上下方向に並置された他方の複数の羽根部材と、この他方の複数の羽根部材を互いに連結すると共に他方の複数の羽根部材のうちの最下位の羽根部材を下方に引っ張る一方、他方の複数の羽根部材の夫々を同期して傾動させる他方の傾動機構と、他方の複数の羽根部材のうちの最上位の羽根部材を昇降させて他方の複数の羽根部材のうちの残余の羽根部材を昇降させる他方の昇降手段とを具備しているブラインド装置。
【請求項２】
一方の傾動機構は、一方の複数の羽根部材を互いに連結するべく、一方の複数の羽根部材の夫々の前縁側及び後縁側を互いに連結する折り畳み自在な一方の一対の連結機構と、一方の複数の羽根部材のうちの最上位の羽根部材を吊り下げ支持する一方、一方の複数の羽根部材の夫々を同期して傾動させるべく、一方の一対の連結機構の各上端を吊り下げ支持すると共に一方の一対の連結機構に相対的な上下変位を生じさせる一方の上下変位機構とを具備している請求項１に記載のブラインド装置。
【請求項３】
一方の上下変位機構は、一方の一対の連結機構の各上端に下端で連結された一対の折り畳み自在な吊り下げ部材と、この一対の折り畳み自在な吊り下げ部材の上端に連結された一方の回転部材と、この一方の回転部材を回転させると共に開口部の中央部よりも上方に配された一方の傾動用電動モータとを具備している請求項２に記載のブラインド装置。
【請求項４】
一方の昇降手段は、一方の複数の羽根部材のうちの最下位の羽根部材に連結されている一方の可撓性の走行体と、この一方の走行体を走行させる一方の走行装置と、この一方の走行装置による一方の走行体の走行を案内する一方の案内手段とを具備している請求項１から３のいずれか一項に記載のブラインド装置。
【請求項５】
一方の走行体は、一方のチェーンを具備しており、一方の走行装置は、開口部の中央部よりも上方に配された一方の昇降用電動モータと、この一方の昇降用電動モータの作動により回転されると共に一方のチェーンが掛け回された一方のスプロケットホイールとを具備している請求項４に記載のブラインド装置。
【請求項６】
他方の傾動機構は、他方の複数の羽根部材を互いに連結するべく、他方の複数の羽根部材の夫々の前縁側及び後縁側を互いに連結する折り畳み自在な他方の一対の連結機構と、他方の複数の羽根部材のうちの最下位の羽根部材を引っ張る一方、他方の複数の羽根部材の夫々を同期して傾動させるべく、他方の一対の連結機構の各下端を引っ張ると共に他方の一対の連結機構に相対的な上下変位を生じさせる他方の上下変位機構とを具備している請求項１から５のいずれか一項に記載のブラインド装置。
【請求項７】
他方の上下変位機構は、他方の一対の連結機構の各下端に上端で連結された一対の折り畳み自在な引っ張り部材と、この一対の折り畳み自在な引っ張り部材の下端に連結された他方の回転部材と、この他方の回転部材を回転させると共に開口部の中央部よりも下方に配された他方の傾動用電動モータとを具備している請求項６に記載のブラインド装置。
【請求項８】
他方の上下変位機構は、他方の複数の羽根部材のうちの最下位の羽根部材を引っ張る際に、弾性的な引っ張り力を最下位の羽根部材に付与する弾性手段を更に具備している請求項６又は７に記載のブラインド装置。
【請求項９】
他方の昇降手段は、他方の複数の羽根部材のうちの最上位の羽根部材に連結されている他方の走行体と、この他方の走行体を走行させる他方の走行装置と、この他方の走行装置による他方の走行体の走行を案内する他方の案内手段とを具備している請求項１から８のいずれか一項に記載のブラインド装置。
【請求項１０】
他方の走行体は、他方のチェーンを具備しており、他方の走行装置は、開口部の中央部よりも下方に配された他方の昇降用電動モータと、この他方の昇降用電動モータの作動により回転されると共に他方のチェーンが掛け回されたスプロケットホイールとを具備している請求項９に記載のブラインド装置。
【発明の詳細な説明】
【技術分野】
【０００１】
本発明は、建物の窓等の開口部に配されて、当該開口部を開閉するためのブラインド装置に関する。
【背景技術】
【０００２】
【特許文献１】特開平９−２１２８３号公報
【０００３】
この種のブラインド装置では、特許文献１から明らかなように、一般に、開口部の上部に左右の縦枠を橋絡すると共に電動モータ等の作動により回転される回転軸が設けられ、この回転軸にはスプロケットホイールが取付けられ、スプロケットホイールにはチェーンが掛けられ、電動モータ等の作動により回転軸が回転されると、スプロケットホイールが回転されてチェーンが走行され、チェーンの走行により複数の羽根部材が上昇、下降され、而して建物の窓等の開口部を開放、閉鎖すると共に開口部の閉鎖において羽根部材を傾動させて開口部を完全閉鎖するようになっている。
【発明の開示】
【発明が解決しようとする課題】
【０００４】
ところで、斯かるブラインド装置は、建物の窓等の開口部の上下方向の長さがそれ程大きくない場合には、全ての羽根部材を重ね合わせて上昇させることが容易に迅速に行い得るが、例えば、開口部の上下方向の長さが１０ｍ以上になると、羽根部材の重量が相当のものとなって、電動にしても手動にしても大きな力を必要とする上に、開口部全体を開放したり閉鎖したりするには時間がかかり、しかも、羽根部材の全体の重ね合わせ厚みも大きくなり、開口部の開放感を十分に得ることができない。
【０００５】
本発明は、前記諸点に鑑みてなされたものであって、その目的とするところは、建物の窓等の開口部の開放に要する力を分散できる上に、開口部を迅速に開放することができ、しかも、十分な開口部の開放感を得ることができるブラインド装置を提供することにある。
【課題を解決するための手段】
【０００６】
本発明のブラインド装置は、開口部に上下方向に並置された一方の複数の羽根部材と、この一方の複数の羽根部材を互いに連結すると共に一方の複数の羽根部材のうちの最上位の羽根部材を吊り下げ支持する一方、一方の複数の羽根部材の夫々を同期して傾動させる一方の傾動機構と、一方の複数の羽根部材のうちの最下位の羽根部材を昇降させて一方の複数の羽根部材のうち残余の羽根部材を昇降させる一方の昇降手段と、開口部に一方の複数の羽根部材よりも下方であって上下方向に並置された他方の複数の羽根部材と、この他方の複数の羽根部材を互いに連結すると共に他方の複数の羽根部材のうちの最下位の羽根部材を下方に引っ張る一方、他方の複数の羽根部材の夫々を同期して傾動させる他方の傾動機構と、他方の複数の羽根部材のうちの最上位の羽根部材を昇降させて他方の複数の羽根部材のうちの残余の羽根部材を昇降させる他方の昇降手段とを具備している。
【０００７】
本発明のブラインド装置によれば、開口部全体を開放、閉鎖する複数の羽根部材を、一方の複数の羽根部材と、この一方の複数の羽根部材よりも下方に位置する他方の複数の羽根部材とに分けて、一方の昇降手段により一方の複数の羽根部材のうちの最下位の羽根部材を昇降させて一方の複数の羽根部材のうちの残余の羽根部材を昇降させ、他方の昇降手段により他方の複数の羽根部材のうちの最上位の羽根部材を昇降させて他方の複数の羽根部材のうちの残余の羽根部材を昇降させるようになっているために、建物の窓等の開口部の開放に要する力を分散できる上に、一方の複数の羽根部材と他方の複数の羽根部材とを同時的に昇降できるために、開口部を迅速に開放することができ、しかも、開口部の開放においては、一方の複数の羽根部材を開口部最上位に、他方の複数の羽根部材を開口部最下位に夫々分担して重ね合わせて配置することができるので、開口部最上位及び開口部最下位の夫々に配された羽根部材の全体の重ね合わせ厚みも大きくなり、開口部の開放感を十分に得ることができるようになる。
【０００８】
一方の傾動機構は、一方の複数の羽根部材を互いに連結するべく、一方の複数の羽根部材の夫々の前縁側及び後縁側を互いに連結する折り畳み自在な一方の一対の連結機構と、一方の複数の羽根部材のうちの最上位の羽根部材を吊り下げ支持する一方、一方の複数の羽根部材の夫々を同期して傾動させるべく、一方の一対の連結機構の各上端を吊り下げ支持すると共に一方の一対の連結機構に相対的な上下変位を生じさせる一方の上下変位機構とを具備し、他方の傾動機構もまた、同様に、他方の複数の羽根部材を互いに連結するべく、他方の複数の羽根部材の夫々の前縁側及び後縁側を互いに連結する折り畳み自在な他方の一対の連結機構と、他方の複数の羽根部材のうちの最下位の羽根部材を引っ張る一方、他方の複数の羽根部材の夫々を同期して傾動させるべく、他方の一対の連結機構の各下端を引っ張ると共に他方の一対の連結機構に相対的な上下変位を生じさせる他方の上下変位機構とを具備していてもよく、この場合、一方の上下変位機構は、一方の一対の連結機構の各上端に下端で連結された一対の折り畳み自在な吊り下げ部材と、この一対の折り畳み自在な吊り下げ部材の上端に連結された一方の回転部材と、この一方の回転部材を回転させると共に開口部の中央部よりも上方に配された一方の傾動用電動モータとを具備し、他方の上下変位機構は、他方の一対の連結機構の各下端に上端で連結された一対の折り畳み自在な引っ張り部材と、この一対の折り畳み自在な引っ張り部材の下端に連結された他方の回転部材と、この他方の回転部材を回転させると共に開口部の中央部よりも下方に配された他方の傾動用電動モータとを具備していてもよい。
【０００９】
吊り下げ部材及び引っ張り部材としては、紐、帯、ワイヤー等であってもよく、これに代えて、剛性の短冊状の板を互いに回動自在に連結した連結板列であってもよい一方、巻き径の小さなコイルばねのように、折り畳み自在に加えて、弾性的に伸縮自在であってもよく、弾性的に伸縮自在な吊り下げ部材は、最上位の羽根部材を弾性的に吊り下げ支持することになり、弾性的に伸縮自在な引っ張り部材は、最下位の羽根部材に弾性的な引っ張り力を付与することになり、また他方の上下変位機構は、他方の複数の羽根部材のうちの最下位の羽根部材を引っ張る際に、弾性的な引っ張り力を最下位の羽根部材に付与する弾性手段を更に具備していてもよく、斯かる弾性手段は、一対の折り畳み自在な引っ張り部材間に介在させてもよい。
【００１０】
一方の昇降手段は、一方の複数の羽根部材のうちの最下位の羽根部材に連結されている一方の可撓性の走行体と、この一方の走行体を走行させる一方の走行装置と、この一方の走行装置による一方の走行体の走行を案内する一方の案内手段とを具備し、他方の昇降手段も同様に、他方の複数の羽根部材のうちの最上位の羽根部材に連結されている他方の走行体と、この他方の走行体を走行させる他方の走行装置と、この他方の走行装置による他方の走行体の走行を案内する他方の案内手段とを具備していてもよく、この場合には、一方の走行体は、一方のチェーンを具備しており、一方の走行装置は、開口部の中央部よりも上方に配された一方の昇降用電動モータと、この一方の昇降用電動モータの作動により回転されると共に一方のチェーンが掛け回された一方のスプロケットホイールとを具備し、他方の走行体は、他方のチェーンを具備しており、他方の走行装置は、開口部の中央部よりも下方に配された他方の昇降用電動モータと、この他方の昇降用電動モータの作動により回転されると共に他方のチェーンが掛け回されたスプロケットホイールとを具備していてもよい。
【００１１】
本発明において、走行体としては、好ましい例としてチェーンを挙げることができるが、その他の例えばタイミングベルト、ワイヤ等であってもよく、また、走行体が掛け回された回転体としては、走行体にチェーンが用いられる際には、スプロケットホイールを、タイミングベルト、ワイヤ等が用いられる際には、歯付プーリ等を好ましい例として挙げることができる。
【００１２】
一方の昇降手段による一方の複数の羽根部材のうちの最下位の羽根部材の昇降と、他方の昇降手段による他方の複数の羽根部材のうちの最上位の羽根部材の昇降とを全てにおいて同期して行わせることが好ましいが、いずれかを多少前後させて行わせてもよく、同様に、一方の傾動機構による一方の複数の羽根部材の傾動と他方の傾動機構による他方の複数の羽根部材の傾動とを全てにおいて同期して行わせることが好ましいが、いずれかを多少前後させて行わせてもよい一方、有意な時間間隔をもって時間的にずらせて交互に連続的に行わせてもよい。
【発明の効果】
【００１３】
本発明によれば、建物の窓等の開口部の開放に要する力を分散できる上に、開口部を迅速に開放することができ、しかも、十分な開口部の開放感を得ることができるブラインド装置を提供することができる。
【発明を実施するための最良の形態】
【００１４】
次に本発明を、その実施の形態を示す図に基づいて更に詳細に説明する。なお、本発明はこれらに何等限定されないのである。
【００１５】
図１から図１０において本例のブラインド装置１は、中空の縦枠２及び３と、一対の縦枠２及び３の夫々を橋絡した中空の上枠４及び下枠５と、縦枠２及び３並びに上枠４及び下枠５に囲まれる開口部６に上下方向Ｖに並置された一方の複数の羽根部材７と、複数の羽根部材７を互いに連結すると共に複数の羽根部材７のうちの最上位の羽根部材７ａを吊り下げ支持する一方、複数の羽根部材７の夫々を同期して傾動させる一方の傾動機構８と、複数の羽根部材７のうちの最下位の羽根部材７ｂを昇降させて複数の羽根部材７のうち残余の羽根部材７ｃを昇降させる一方の昇降手段９と、開口部６に複数の羽根部材７のうちの最下位の羽根部材７ｂよりも下方であって上下方向Ｖに並置された他方の複数の羽根部材１０と、複数の羽根部材１０を互いに連結すると共に複数の羽根部材１０のうちの最下位の羽根部材１０ｂを下方に引っ張る一方、他方の複数の羽根部材１０の夫々を同期して傾動させる他方の傾動機構１１と、複数の羽根部材１０のうちの最上位の羽根部材１０ａを昇降させて複数の羽根部材１０の残余の羽根部材１０ｃを昇降させる他方の昇降手段１２とを具備している。
【００１６】
縦枠２及び３並びに上枠４及び下枠５は、窓枠であってもよく、これに代えて、窓枠とは別体であって窓枠等に取付けられるブラインド装置１自体の枠であってよく、更には、間仕切り枠若しくは間仕切り窓枠であってよい。
【００１７】
縦枠２側と縦枠３側とは、ほぼ同一に形成されているので、以下、縦枠３側を必要に応じて説明し、縦枠２側について主に説明する。
【００１８】
縦枠２は、前壁部２１、後壁部２２、外側壁部２３及び内側壁部２４を有して一体に形成されており、内側壁部２４には、上下方向Ｖに伸びた案内用のスリット２５が形成されている。
【００１９】
横方向、即ち、水平方向に伸びた前縁３１及び後縁３２を有した羽根部材７及び１０の夫々は、前縁３１側から後縁３２側にかけて湾曲された羽根本体３３と、羽根本体３３の長手方向（水平方向）Ｈの各端部３５に嵌着された取付具３６とを具備している。
【００２０】
取付具３６は、羽根本体３３の前縁３１側から後縁３２側に向かって伸びたスリット３７及び羽根本体３３の後縁３２側から前縁３１側に向かって伸びたスリット３８を有した取付具本体３９と、取付具本体３９に一体的に固着された軸部４０と、軸部４０に回転自在に装着されていると共にスリット３８を規定する内側壁部２４の対向端面４１及び４２に環状溝で上下方向Ｖに滑り移動自在に接触している円筒駒４３とを具備しており、軸部４０は、円筒駒４３を介してスリット２５に上下方向Ｖに移動自在に配されている。
【００２１】
傾動機構８は、羽根部材７を互いに連結するべく、羽根部材７の夫々の前縁３１側及び後縁３２側を互いに連結する折り畳み自在な一方の一対の連結機構４５及び４６と、羽根部材７のうちの最上位の羽根部材７ａを吊り下げ支持する一方、羽根部材７の夫々を同期して軸部４０を中心として図１１から図１５に示す状態から図１から図１０に示す状態又はその逆に傾動させるべく、連結機構４５及び４６の各上端４７を吊り下げ支持すると共に連結機構４５及び４６に相対的な上下方向Ｖの変位、すなわち、上下変位を生じさせる上下変位機構４８とを具備している。
【００２２】
連結機構４５は、互いに軸５１を介して回転自在に連結された一対の剛性の連結部材５２の列からなっており、一対の剛性の連結部材５２からなる列は、上方の連結部材５２の上端で上位の羽根部材７の取付具３６のスリット３７において取付具本体３９に軸５３を介して回転自在に連結されている一方、下方の連結部材５２の下端で当該上位の羽根部材７に下方で隣接する下位の羽根部材７の取付具３６のスリット３７において取付具本体３９に軸５３を介して回転自在に連結されており、下方の連結部材５２の夫々は、上方の連結部材５２に係合して隣接する一対の連結部材５２の折り畳み方向を特定する係合部５４を具備している。
【００２３】
連結機構４６は、連結機構４５と同様に、互いに軸５５を介して回転自在に連結された一対の剛性の連結部材５６の列からなっており、一対の剛性の連結部材５６からなる列は、上方の連結部材５６の上端で上位の羽根部材７の取付具３６のスリット３８において取付具本体３９に軸５７を介して回転自在に連結されている一方、下方の連結部材５６の下端で当該上位の羽根部材７に下方で隣接する下位の羽根部材７の取付具３６のスリット３８において取付具３６に軸５７を介して回転自在に連結されており、下方の連結部材５６の夫々は、上方の連結部材５６に係合して隣接する一対の連結部材５６の折り畳み方向を特定する係合部５８を具備している。
【００２４】
連結機構４５及び４６の夫々は、一対の剛性の連結部材５２及び５６に代えて、折り畳み自在な可撓性の紐、帯、ワイヤー等を具備していてもよい。
【００２５】
上下変位機構４８は、連結機構４５及び４６の各上端４７に下端で軸５３及び５７を介して回転自在に連結された一対の折り畳み自在な吊り下げ部材６１及び６２と、吊り下げ部材６１及び６２の上端に軸６３及び６４を介して回転自在に連結された一方の回転部材６５と、回転部材６５を回転させると共に開口部６の中央部６６よりも上方である上枠４内に配された一方の傾動用電動モータ６７を具備している。
【００２６】
吊り下げ部材６１は、一対の非伸縮性のワイヤ等からなる可撓性の連結部材７１と、一対の連結部材７１をその各一端で互いに回転自在に連結する連結具７２と、一対の連結部材７１において上位の連結部材７１の他端を回転部材６５の一端に軸６３を介して回転自在に連結する連結具７３と、一対の連結部材７１において下位の連結部材７１の他端を最上位の羽根部材７ａの取付具３６のスリット３７において軸５３を介して回転自在に連結する連結具７４とを具備している。
【００２７】
吊り下げ部材６２は、一対の非伸縮性のワイヤ等からなる可撓性の連結部材７５と、一対の連結部材７５をその各一端で互いに回転自在に連結する連結具７６と、一対の連結部材７５において上位の連結部材７５の他端を回転部材６５の他端に軸６４を介して回転自在に連結する連結具７７と、一対の連結部材７５において下位の連結部材７５の他端を最上位の羽根部材７ａの取付具３６のスリット３８において軸５７を介して回転自在に連結する連結具７８とを具備している。
【００２８】
回転部材６５は、回転部材本体８１と、回転部材本体８１の羽根部材７の前縁３１側における一端に固着された軸６３と、回転部材本体８１の羽根部材７の後縁３２側における他端に固着された軸６４とを具備している。
【００２９】
上枠４に支持された傾動用電動モータ６７は出力回転軸８２を有しており、出力回転軸８２は、傾動用電動モータ６７の作動で正転（Ａ方向）及び逆転（Ｂ方向）すると共に回転部材本体８１が一端８３に固着された出力回転軸本体８４と、出力回転軸本体８４の他端８５に一端８６で嵌合した中空回転軸８７と、中空回転軸８７の他端８８に嵌合されていると共に上枠４に回転自在に支持された回転軸８９と、回転軸８９の径大部及び中空回転軸８７の他端８８の端面間に配されていると共に回転軸８９を囲繞するコイルばね９０とを具備しており、回転軸８９には、縦枠３側の回転部材６５の回転部材本体８１が固着されている。
【００３０】
出力回転軸８２は、コイルばね９０をＨ方向に縮めて中空回転軸８７と出力回転軸本体８４との嵌合を解除した後、更に中空回転軸８７と回転軸８９との嵌合を解除することにより、出力回転軸本体８４と回転軸８９とを連結して傾動用電動モータ６７の作動による出力回転軸本体８４の回転を回転軸８９に伝達する中空回転軸８７を出力回転軸本体８４と回転軸８９との間から取り外すことができ、逆の作業を行うことにより、出力回転軸本体８４の回転を回転軸８９に伝達することができるように、中空回転軸８７を出力回転軸本体８４と回転軸８９との間に配することができるようになっているので、全体の組み立て性は、極めて優れている。
【００３１】
傾動用電動モータ６７は、その作動で出力回転軸本体８４をＡ方向及びＢ方向に回転させ、一方では、縦枠２側の回転部材本体８１を同方向であるＡ方向及びＢ方向に回転させ、他方では、中空回転軸８７及び回転軸８９を介して縦枠３側の回転部材本体８１を同方向であるＡ方向及びＢ方向に縦枠２側の回転部材本体８１の回転と同期して回転させるようになっており、このように傾動用電動モータ６７は、縦枠２側の回転部材６５と縦枠３側の回転部材６５との回転に対して共用されている。
【００３２】
一方の昇降手段９は、一方の複数の羽根部材７のうちの最下位の羽根部材７ｂに連結されている一方の可撓性の走行体９１と、走行体９１をＣ方向及びＤ方向に走行させる一方の走行装置９２と、走行装置９２による走行体９１のＣ方向及びＤ方向の走行を案内する一方の案内手段９３とを具備している。
【００３３】
走行体９１は、一方の可撓性の有端のチェーン９４と、チェーン９４の一端部９５を羽根部材７ｂに連結する一方の連結機構９６とを具備している。
【００３４】
連結機構９６は、チェーン９４の一端部９５に回転自在に嵌合された軸９７と、軸９７が固着されていると共に最下位の羽根部材７ｂの取付具３６の軸部４０が回転自在に嵌合されて連結されており、しかも、案内手段９３に案内されてＣ方向及びＤ方向に移動自在である一方の可動台９８とを具備している。
【００３５】
走行装置９２は、開口部６の中央部６６よりも上方である上枠４内に配された一方の昇降用電動モータ１００と、昇降用電動モータ１００の作動により回転されると共に走行体９１のチェーン９４が掛け回された一方のスプロケットホイール１０１とを具備している。
【００３６】
上枠４に支持された昇降用電動モータ１００は出力回転軸１０２を有しており、出力回転軸１０２は、昇降用電動モータ１００の作動で正転（Ｅ方向）及び逆転（Ｆ方向）すると共に縦枠３側のスプロケットホイール１０１が一端１０３に固着された出力回転軸本体１０４と、出力回転軸本体１０４の他端１０５に一端１０６で嵌合した中空回転軸１０７と、中空回転軸１０７の他端１０８に嵌合されていると共に縦枠２に回転自在に支持された回転軸１０９と、回転軸１０９の径大部及び中空回転軸１０７の他端１０８の端面間に配されていると共に回転軸１０９を囲繞するコイルばね１１０とを具備しており、回転軸１０９には、縦枠２側のスプロケットホイール１０１が固着されている。
【００３７】
出力回転軸１０２は、コイルばね１１０をＨ方向に縮めて中空回転軸１０７と出力回転軸本体１０４との嵌合を解除した後、更に中空回転軸１０７と回転軸１０９との嵌合を解除することにより、出力回転軸本体１０４と回転軸１０９とを連結して昇降用電動モータ１００の作動による出力回転軸本体１０４の回転を回転軸１０９に伝達する中空回転軸１０７を出力回転軸本体１０４と回転軸１０９との間から取り外すことができ、逆の作業を行うことにより、出力回転軸本体１０４の回転を回転軸１０９に伝達することができるように、中空回転軸１０７を出力回転軸本体１０４と回転軸１０９との間に配することができるようになっているので、全体の組み立て性は、極めて優れている。
【００３８】
昇降用電動モータ１００は、その作動で出力回転軸本体１０４をＥ方向及びＦ方向に回転させ、一方では、縦枠３側のスプロケットホイール１０１を同方向であるＥ方向及びＦ方向に回転させ、他方では、中空回転軸１０７及び回転軸１０９を介して縦枠２側のスプロケットホイール１０１を同方向であるＥ方向及びＦ方向に縦枠３側のスプロケットホイール１０１の回転と同期して回転させるようになっており、このように昇降用電動モータ１００は、縦枠２側のスプロケットホイール１０１と縦枠３側のスプロケットホイール１０１との回転に対して共用されている。
【００３９】
スプロケットホイール１０１は、Ｅ方向及びＦ方向の回転でこれに掛け回された走行体９１のチェーン９４をＣ方向及びＤ方向に走行させるようになっている。
【００４０】
案内手段９３は、上下方向Ｖに伸びて縦枠２の外側壁部２３に一体的に形成された互いに平行な軌条部１１５及び１１６と、スプロケットホイール１０１の外周面に対面した円弧凹面１１７を有すると共に外側壁部２３に取り付けられた案内部材１１８とを具備している。
【００４１】
一対の互いに対向して平行に伸びる突起からなる軌条部１１５には、チェーン９４の一端部９５側及び可動台９８が上下方向Ｖに移動自在に嵌合しており、軌条部１１５と同様に一対の互いに対向して平行に伸びる突起からなる軌条部１１６には、チェーン９４の他端部１１９側が上下方向Ｖに移動自在に嵌合しており、案内部材１１８には、一端部９５側と他端部１１９側との間のチェーン９４がＥ方向及びＦ方向に移動自在に嵌合している。
【００４２】
軌条部１１５及び１１６の夫々は、チェーン９４が撓まないようにしてチェーン９４の上下方向Ｖの移動を案内し、案内部材１１８は、スプロケットホイール１０１と協働してチェーン９４が撓まないようにしてチェーン９４のＥ方向及びＦ方向の移動を案内するようになっている。
【００４３】
傾動機構１１は、羽根部材１０を互いに連結するべく、羽根部材１０の夫々の前縁３１側及び後縁３２側を互いに連結する折り畳み自在な他方の一対の連結機構１２５及び１２６と、羽根部材１０のうちの最下位の羽根部材１０ｂを引っ張る一方、羽根部材１０の夫々を同期して軸部４０を中心として図１１から図１５に示す状態から図１から図１０に示す状態又はその逆に傾動させるべく、連結機構１２５及び１２６の各下端１２７を引っ張ると共に連結機構１２５及び１２６に相対的な上下方向Ｖの変位、すなわち、上下変位を生じさせる上下変位機構１２８とを具備している。
【００４４】
連結機構１２５及び１２６は、連結機構４５及び４６と同様に形成されており、連結機構１２５は、互いに軸１３１を介して回転自在に連結された一対の剛性の連結部材１３２の列からなっており、一対の剛性の連結部材１３２からなる列は、上方の連結部材１３２の上端で上位の羽根部材１０の取付具３６のスリット３７において取付具本体３９に軸１３３を介して回転自在に連結されている一方、下方の連結部材１３２の下端で当該上位の羽根部材１０に下方で隣接する下位の羽根部材１０の取付具３６のスリット３７において取付具本体３９に軸１３３を介して回転自在に連結されており、下方の連結部材１３２の夫々は、上方の連結部材１３２に係合して隣接する一対の連結部材１３２の折り畳み方向を特定する係合部１３４を具備している。
【００４５】
連結機構１２６は、連結機構１２５と同様に、互いに軸１３５を介して回転自在に連結された一対の剛性の連結部材１３６の列からなっており、一対の剛性の連結部材１３６からなる列は、上方の連結部材１３６の上端で上位の羽根部材１０の取付具３６のスリット３８において取付具本体３９に軸１３７を介して回転自在に連結されている一方、下方の連結部材１３６の下端で当該上位の羽根部材１０に下方で隣接する下位の羽根部材１０の取付具３６のスリット３８において取付具３６に軸１３７を介して回転自在に連結されており、下方の連結部材１３６の夫々は、上方の連結部材１３６に係合して隣接する一対の連結部材１３６の折り畳み方向を特定する係合部１３８を具備している。
【００４６】
連結機構１２５及び１２６の夫々は、連結機構４５及び４６と同様に、一対の剛性の連結部材１３２及び１３６に代えて、折り畳み自在な可撓性の紐、帯、ワイヤー等を具備していてもよい。
【００４７】
上下変位機構１２８は、連結機構１２５及び１２６の各下端１２７に上端で軸１３３及び１３７を介して回転自在に連結された一対の折り畳み自在な引っ張り部材１４１及び１４２と、引っ張り部材１４１及び１４２の下端に軸１４３及び１４４を介して回転自在に連結された他方の回転部材１４５と、回転部材１４５を回転させると共に開口部６の中央部６６よりも下方である下枠５に配された他方の傾動用電動モータ１４７と、羽根部材１０ｂを引っ張る際に、弾性的な引っ張り力を羽根部材１０ｂに付与する弾性手段１４８とを具備している。
【００４８】
引っ張り部材１４１は、一対の連結部材１５１及び１５２と、一対の連結部材１５１及び１５２をその各一端で互いに回転自在に連結する連結具１５３と、一対の連結部材１５１及び１５２において非伸縮性であって可撓性のワイヤ等からなる下位の連結部材１５２の他端を回転部材１４５の一端に軸１４３を介して回転自在に連結する連結具１５５とを具備しており、一対の連結部材１５１及び１５２において剛性の板状部材からなる上位の連結部材１５１の他端は、最下位の羽根部材１０ｂの取付具３６のスリット３７において軸１３３を介して回転自在に連結されている。
【００４９】
引っ張り部材１４２は、一対の連結部材１５６及び１５７と、一対の連結部材１５６及び１５７をその各一端で互いに回転自在に連結する連結具１５８と、一対の連結部材１５６及び１５７において非伸縮性であって可撓性のワイヤ等からなる下位の連結部材１５７の他端を回転部材１４５の他端に軸１４４を介して回転自在に連結する連結具１６０とを具備しており、一対の連結部材１５６及び１５７において剛性の板状部材からなる上位の連結部材１５６の他端は、最下位の羽根部材１０ｂの取付具３６のスリット３８において軸１３７を介して回転自在に連結されている。
【００５０】
回転部材１４５は、回転部材本体１６１と、回転部材本体１６１の羽根部材１０の前縁３１側における一端に固着された軸１４３と、回転部材本体１６１の羽根部材１０の後縁３２側における他端に固着された軸１４４とを具備している。
【００５１】
下枠５に支持された傾動用電動モータ１４７は出力回転軸１６２を有しており、出力回転軸１６２は、傾動用電動モータ１４７の作動で正転（Ａ方向）及び逆転（Ｂ方向）すると共に縦枠３側の回転部材本体１６１が一端１６３に固着された出力回転軸本体１６４と、出力回転軸本体１６４の他端１６５に一端１６６で嵌合した中空回転軸１６７と、中空回転軸１６７の他端１６８に嵌合されていると共に下枠５に回転自在に支持された回転軸１６９と、回転軸１６９の径大部及び中空回転軸１６７の他端１６８の端面間に配されていると共に回転軸１６９を囲繞するコイルばね１７０とを具備しており、回転軸１６９には、縦枠２側の回転部材１４５の回転部材本体１６１が固着されている。
【００５２】
出力回転軸１６２は、コイルばね１７０をＨ方向に縮めて中空回転軸１６７と出力回転軸本体１６４との嵌合を解除した後、更に中空回転軸１６７と回転軸１６９との嵌合を解除することにより、出力回転軸本体１６４と回転軸１６９とを連結して傾動用電動モータ１４７の作動による出力回転軸本体１６４の回転を回転軸１６９に伝達する中空回転軸１６７を出力回転軸本体１６４と回転軸１６９との間から取り外すことができ、逆の作業を行うことにより、出力回転軸本体１６４の回転を回転軸１６９に伝達することができるように、中空回転軸１６７を出力回転軸本体１６４と回転軸１６９との間に配することができるようになっているので、全体の組み立て性は、極めて優れている。
【００５３】
傾動用電動モータ１４７は、その作動で出力回転軸本体１６４をＡ方向及びＢ方向に回転させ、一方では、縦枠３側の回転部材本体１６１を同方向であるＡ方向及びＢ方向に回転させ、他方では、中空回転軸１６７及び回転軸１６９を介して縦枠２側の回転部材本体１６１を同方向であるＡ方向及びＢ方向に縦枠３側の回転部材本体１６１の回転と同期して回転させるようになっており、このように傾動用電動モータ１４７は、縦枠２側の回転部材１４５と縦枠３側の回転部材１４５との回転に対して共用されている。
【００５４】
弾性手段１４８は、一端では連結部材１５１に、他端では連結部材１５６に固着されたコイルばね１７０からなっており、連結部材１５１及び１５６を互いに接近するように連結部材１５１及び１５６を引っ張って、これにより弾性的な引っ張り力を羽根部材１０ｂに付与すると共に引っ張り部材１４１及び１４２の夫々の折り畳み方向を特定している。弾性手段１４８は、一端では連結部材１５２又は連結具１５３若しくは１５５に、他端では連結部材１５７又は連結具１５８若しくは１６０に固着されたコイルばねからなっていてもよい。
【００５５】
他方の昇降手段１２は、他方の複数の羽根部材１０のうちの最上位の羽根部材１０ａに連結されている他方の走行体１８１と、走行体１８１をＣ方向及びＤ方向に走行させる他方の走行装置１８２と、走行装置１８２による走行体１８１のＣ方向及びＤ方向の走行を案内する他方の案内手段１８３とを具備している。
【００５６】
走行体１８１は、他方の可撓性の有端のチェーン１８４と、チェーン１８４の一端部１８５を羽根部材１０ａに連結する一方の連結機構１８６とを具備している。
【００５７】
連結機構１８６は、チェーン１８４の一端部１８５に回転自在に嵌合された軸１８７と、軸１８７が固着されていると共に最上位の羽根部材７ａの取付具３６の軸部４０が回転自在に嵌合されて連結されており、しかも、案内手段１８３に案内されてＣ方向及びＤ方向に移動自在である他方の可動台１８８とを具備している。
【００５８】
走行装置１８２は、開口部６の中央部６６よりも下方である下枠５内に配された他方の昇降用電動モータ２００と、昇降用電動モータ２００の作動により回転されると共に走行体１８１のチェーン１８４が掛け回された他方のスプロケットホイール２０１とを具備している。
【００５９】
下枠５に支持された昇降用電動モータ２００は出力回転軸２０２を有しており、出力回転軸２０２は、昇降用電動モータ２００の作動で正転（Ｅ方向）及び逆転（Ｆ方向）すると共に縦枠２側のスプロケットホイール２０１が一端２０３に固着された出力回転軸本体２０４と、出力回転軸本体２０４の他端２０５に一端２０６で嵌合した中空回転軸２０７と、中空回転軸２０７の他端２０８に嵌合されていると共に下枠５に回転自在に支持された回転軸２０９と、回転軸２０９の径大部及び中空回転軸２０７の他端２０８の端面間に配されていると共に回転軸２０９を囲繞するコイルばね２１０とを具備しており、回転軸２０９には、縦枠３側のスプロケットホイール２０１が固着されている。
【００６０】
出力回転軸２０２は、コイルばね２１０をＨ方向に縮めて中空回転軸２０７と出力回転軸本体２０４との嵌合を解除した後、更に中空回転軸２０７と回転軸２０９との嵌合を解除することにより、出力回転軸本体２０４と回転軸２０９とを連結して昇降用電動モータ２００の作動による出力回転軸本体２０４の回転を回転軸２０９に伝達する中空回転軸２０７を出力回転軸本体２０４と回転軸２０９との間から取り外すことができ、逆の作業を行うことにより、出力回転軸本体２０４の回転を回転軸２０９に伝達することができるように、中空回転軸２０７を出力回転軸本体２０４と回転軸２０９との間に配することができるようになっているので、全体の組み立て性は、極めて優れている。
【００６１】
昇降用電動モータ２００は、その作動で出力回転軸本体２０４をＥ方向及びＦ方向に回転させ、一方では、縦枠２側のスプロケットホイール１０１を同方向であるＥ方向及びＦ方向に回転させ、他方では、中空回転軸２０７及び回転軸２０９を介して縦枠３側のスプロケットホイール２０１を同方向であるＥ方向及びＦ方向に縦枠２側のスプロケットホイール１０１の回転と同期して回転させるようになっており、このように昇降用電動モータ２００は、縦枠２側のスプロケットホイール２０１と縦枠３側のスプロケットホイール２０１との回転に対して共用されている。
【００６２】
スプロケットホイール２０１は、Ｅ方向及びＦ方向の回転でこれに掛け回された走行体９１のチェーン１８４をＣ方向及びＤ方向に走行させるようになっている。
【００６３】
案内手段１８３は、上下方向Ｖに伸びて縦枠２の外側壁部２３に一体的に形成された互いに平行な軌条部１１５及び１１６と、スプロケットホイール２０１の外周面に対面した円弧凹面２１７を有すると共に外側壁部２３に取り付けられた案内部材２１８と、円弧凹面２１９及び円弧凸面２２０でもって円弧溝２２１を形成すると共に外側壁部２３に取り付けられた案内部材２２２と、軌条部１１５及び１１６と共に上下方向Ｖに伸びて縦枠２の外側壁部２３に一体的に形成されていると共に軌条部１１５及び１１６に平行に伸びたた軌条部２２３とを具備している。
【００６４】
軌条部１１５には、チェーン１８４の一端部１８５側及び可動台１８８が上下方向Ｖに移動自在に嵌合しており、一対の互いに対向して平行に伸びる突起からなる軌条部２２３には、チェーン１８４の他端部２２４側が上下方向Ｖに移動自在に嵌合しており、軌条部１１６には、一端部１８５と他端部２２４との間のチェーン１８４が上下方向Ｖに移動自在に嵌合しており、案内部材２１８には、軌条部１１６と軌条部２２３との間のチェーン１８４がＥ方向及びＦ方向に移動自在に嵌合しており、案内部材２２２には、円弧溝２２１おいて軌条部１１５と軌条部１１６との間のチェーン１８４がＥ方向及びＦ方向に移動自在に嵌合している。
【００６５】
軌条部１１５、１１６及び２２３の夫々は、チェーン１８４が撓まないようにしてチェーン１８４の上下方向Ｖの移動を案内し、案内部材２１８は、スプロケットホイール２０１と協働してチェーン１８４が撓まないようにしてチェーン１８４のＥ方向及びＦ方向の移動を案内し、案内部材２２２は、円弧溝２２１おいてチェーン１８４が撓まないようにしてチェーン１８４の３６０°の反転移動を案内するようになっている。
【００６６】
案内手段９３及び１８３では、軌条部１１５及び１１６を共用しているが、案内手段９３の軌条部１１５及び１１６と案内手段１８３の軌条部１１５及び１１６とを連続としないで、途中で分断して夫々別々に外側壁部２３に一体的に形成されていてもよい。
【００６７】
以上のブラインド装置１では、可動台９８が最下降されていると共に可動台１８８が最上昇され、しかも、回転部材本体８１及び１６１がＡ方向に最大に回転されていると、図２から図１０に示すように、連結機構４５及び４６、吊り下げ部材６１及び６２、連結機構１２５及び１２６並びに引っ張り部材１４１及び１４２の夫々は伸張されて、羽根部材７及び１０は開口部６を完全に閉鎖するように下降されて傾動されている。この状態から傾動用電動モータ６７及び１４７が同期して作動されて出力回転軸本体８４及び回転軸１６９がＢ方向に同期的に回転されると、回転部材本体８１及び１６１が同じくＢ方向に同期的に回転されて、連結機構４５が連結機構４６に対して上昇されると共に連結機構１２５が連結機構１２６に対して上昇され、更なる傾動用電動モータ６７及び１４７の作動で回転部材本体８１及び１６１がＡ方向に最大に回転されると、羽根部材７及び１０は、図１１から図１５に示すように羽根本体３３の前縁３１と後縁３２とが水平方向で一致するように傾動される。図１１から図１５に示すように羽根部材７及び１０が傾動されると傾動用電動モータ６７及び１４７の作動が停止される。
【００６８】
傾動用電動モータ６７及び１４７の作動の停止後、昇降用電動モータ１００及び２００が同期して作動されて回転軸１０９及び出力回転軸本体２０４がＦ方向に同期的に回転されると、チェーン９４及び１８４のＤ方向の同期的な走行による可動台９８の上昇と可動台１８８の下降とが同期して生じ、連結機構４５及び４６は下方から折り畳まれ始め、吊り下げ部材６１及び６２が折り畳まれた後に連結機構１２５及び１２６も、下方から折り畳まれ始め、更なる昇降用電動モータ１００及び２００の作動で、可動台９８が最上昇される一方、可動台１８８が最下降されると、図１６から図１８に示すように、羽根部材７は、互いに重ね合わされた束となって開口部６の最上位に上昇され、羽根部材１０は、同じく互いに重ね合わされた束となって開口部６の最下位に下降される結果、開口部６は開口された状態となる。
【００６９】
傾動用電動モータ６７及び１４７並びに傾動用電動モータ６７及び１４７の作動を前記と逆に作動させることにより、羽根部材７及び１０を図１６から図１８に示す状態から、図１２から図１５に示す状態に、更に、図１２から図１５に示す状態から図１から図１１に示す状態に夫々下降、上昇及び傾動させることができる。
【００７０】
以上のように本例のブラインド装置１では、開口部６全体を開放、閉鎖する複数の羽根部材７及び１０を、複数の羽根部材７と、複数の羽根部材７よりも下方の位置する複数の羽根部材１０とに分けて、昇降手段９により複数の羽根部材７のうちの最下位の羽根部材７ｂを昇降させて複数の羽根部材７のうちの残余の羽根部材７ａ及び７ｃを昇降させ、昇降手段１２により複数の羽根部材１０のうちの最上位の羽根部材１０ａを昇降させて複数の羽根部材１０のうちの残余の羽根部材１０ｃ及び１０ｂを昇降させるようになっているために、建物の窓等の開口部６の開放に要する力を分散できる上に、複数の羽根部材７と複数の羽根部材１０とを同時的に昇降できるために、開口部６を迅速に開放することができ、しかも、開口部６の開放においては、複数の羽根部材７を開口部６の最上位に、複数の羽根部材１０を開口部６の最下位に夫々分担して重ね合わせて配置することができるので、開口部６の最上位及び開口部６の最下位の夫々に配された羽根部材７及び１０の全体の重ね合わせ厚みも大きくなり、開口部６の開放感を十分に得ることができるようになる。
【図面の簡単な説明】
【００７１】
【図１】本発明の実施の態様の好ましい例の正面図である。
【図２】図１に示す例の一方の縦枠側の上部側面断面説明図である。
【図３】図１に示す例の一方の縦枠側の中間部側面断面説明図である。
【図４】図１に示す例の一方の縦枠側の下部側面断面説明図である。
【図５】図１に示す例の上部平面断面説明図である。
【図６】図１に示す例の上部平面断面説明図である。
【図７】図１に示す例の上部平面断面説明図である。
【図８】図１に示す例の下部平面断面説明図である。
【図９】図１に示す例の下部平面断面説明図である。
【図１０】図１に示す例の下部平面断面説明図である。
【図１１】図１に示す例の動作説明用の正面図である。
【図１２】図１に示す例の動作説明用の一方の縦枠側の上部側面断面図である。
【図１３】図１に示す例の動作説明用の一方の縦枠側の中間部側面の説明図である。
【図１４】図１に示す例の動作説明用の一方の縦枠側の下部側面断面説明図である。
【図１５】図１に示す例の動作説明用の平面断面説明図である。
【図１６】図１に示す例の動作説明用の正面図である。
【図１７】図１に示す例の動作説明用の一方の縦枠側の上部側面断面図である。
【図１８】図１に示す例の動作説明用の一方の縦枠側の下部側面断面説明図である。
【符号の説明】
【００７２】
１  ブラインド装置
２、３  縦枠
４  上枠
５  下枠
６  開口部
７、１０  羽根部材
８、１１  傾動機構
９、１２  昇降手段
【図１】
2008202299.tif 000003
【図２】
2008202299.tif 000004
【図３】
2008202299.tif 000005
【図４】
2008202299.tif 000006
【図５】
2008202299.tif 000007
【図６】
2008202299.tif 000008
【図７】
2008202299.tif 000009
【図８】
2008202299.tif 000010
【図９】
2008202299.tif 000011
【図１０】
2008202299.tif 000012
【図１１】
2008202299.tif 000013
【図１２】
2008202299.tif 000014
【図１３】
2008202299.tif 000015
【図１４】
2008202299.tif 000016
【図１５】
2008202299.tif 000017
【図１６】
2008202299.tif 000018
【図１７】
2008202299.tif 000019
【図１８】
2008202299.tif 000020